(57)【特許請求の範囲】
【請求項１】
内部に熱交換器および送風機を有し下面側が開放された天井埋込型の本体ケーシングと、空気吸込口および空気吹出口を有し、上記本体ケーシングの下面側に取り付けられる化粧パネルとを備え、上記化粧パネルの中央には上記空気吸込口を覆う吸込グリルが開閉可能に収納されており、上記吸込グリルを開閉する際、上記吸込グリルが吊下具を介して上記化粧パネルに吊り下げた状態で支持される天井埋込型空気調和機において、
上記吊下具は、上記化粧パネルに係止される吊下部と、上記吊下部の両端から同一方向に直角に折り曲げられた一対のアーム部と、上記各アーム部の先端から上記吊下部に対し平行で、かつ、互いに離反または近接する方向に直角に折り曲げられ、上記吸込グリルに係止される支軸部とを有し、
上記化粧パネルは、上記空気吸込口に面する側壁から上記吸込グリルを収納する収納面にかけての角部に、上記吊下部が摺動可能に係止される吊下具係止部が設けられており、上記収納面における上記吊下具係止部の両側には、上記吊下具を上記吊下具係止部に挿入するための吊下具挿入部が設けられていることを特徴とする天井埋込型空気調和機。
【請求項２】
上記吊下具係止部は、上記吸込グリルが上記化粧パネルに収納されている時に上記吊下具の上記係止部を保持する係止溝と、上記係止溝の間に設けられ上記吸込グリルを開いた時に上記吊下具の上記係止部を支持する支持部とからなり、上記係止溝は、上記側壁の一部を上記化粧パネルの上記収納面から上記側壁の上端まで繋ぐ第１案内面に沿って斜めに形成され、上記吊下具挿入部は、上記収納面における上記係止溝の両側に配置され、上記収納面から一段低く形成された凹部であって、上記収納面と上記凹部との段差面が上記吊下具を上記係止溝に導く案内面となり、上記案内面の開口幅が、上記側壁寄りから基端側に向かって漸次大きく形成されていることを特徴とする請求項１に記載の天井埋込型空気調和機。
【発明の詳細な説明】
【技術分野】
【０００１】
本発明は、天井埋込型空気調和機に関し、さらに詳しく言えば、空気吸込口に取り付けられる吸込グリルの取付構造に関する。
【背景技術】
【０００２】
例えば特許文献１には、天井裏壁面と天井面との間に形成された空間に本体ケーシングが埋設され、天井面に設けられた天井開口部から本体ケーシングの下面が屋内に向けて開放された天井埋込型空気調和機が示されている。
【０００３】
本体ケーシングの下面には、中央に四角形状の空気吸込口を有し、長方形状をなす空気吹出口が上記空気吸込口の四辺を囲むように配置された化粧パネルが取り付けられている。化粧パネルの空気吸込口には、除塵フィルタを備えた吸込グリルが設けられている。
【０００４】
吸込グリルは、化粧パネルの空気吸込口に合致するように四角形の板状に形成されており、通常は、化粧パネルと同一平面となるように化粧パネルに係止されているが、フィルタ清掃などのメンテナンスのために開閉できるようになっている。
【０００５】
吸込グリルは、化粧パネルから開いた際に床に落下しないように、吊下具によって吊り下げた状態で化粧パネルに保持されるようになっている。特許文献１において、吊下具は、１本の金属棒をリング状に形成したものが用いられて、一端側を化粧パネルに設けられた係止溝に係止させ、他端を吸込グリルの側部に取り付けられた吊下部に係止させることにより、吸込グリルが吊り持ちされるようになっている（特許文献１の図４参照）。
【０００６】
係止溝は、吊下具を上下方向に摺動可能に形成されている。これにより、化粧パネルを吊り下げた状態では、係止溝の下端に吊下部が支持され、化粧パネルに吸込グリルを取り付けた状態では、吊下部が係止溝の上端に移動することにより、係止具が化粧パネルの中に収納されるようになっている。
【０００７】
しかしながら、特許文献１の吊下具は、吊下具の回動軸方向の長さによって回転振り幅が決まるため、化粧パネルの厚さが十分確保できる場合は、軸方向長さを確保できるため問題ないが、化粧パネルと吸込グリルとの間に十分な厚さがない場合には、軸方向長さを確保できず、吸込グリルの着脱開閉がしづらく、メンテナンス性が悪くなる。
【０００８】
また、吊下具の回動軸方向の長さを長く設定した場合、必然的に化粧パネルの厚さが厚くなる。その結果、天井面から化粧パネルの張り出しが大きくなり、天井面から化粧パネルが飛び出して見え、天井面と調和せずに、意匠性を損ねる結果となる。
【先行技術文献】
【特許文献】
【０００９】
【特許文献１】特開２００１−１４７０２８号公報
【発明の概要】
【発明が解決しようとする課題】
【００１０】
そこで、本発明は、化粧パネルを厚くすることなく、化粧パネルから吸込グリルの開閉作業性が良好で、意匠性のよい天井埋込型空気調和機を提供することにある。
【課題を解決するための手段】
【００１１】
上述した目的を達成するため、本発明は、内部に熱交換器および送風機を有し下面側が開放された天井埋込型の本体ケーシングと、空気吸込口および空気吹出口を有し、上記本体ケーシングの下面側に取り付けられる化粧パネルとを備え、上記化粧パネルの中央には上記空気吸込口を覆う吸込グリルが開閉可能に収納されており、上記吸込グリルを開閉する際、上記吸込グリルが吊下具を介して上記化粧パネルに吊り下げた状態で支持される天井埋込型空気調和機において、上記吊下具は、上記化粧パネルに係止される吊下部と、上記吊下部の両端から同一方向に直角に折り曲げられた一対のアーム部と、上記各アーム部の先端から上記吊下部に対し平行で、かつ、互いに離反または近接する方向に直角に折り曲げられ、上記吸込グリルに係止される支軸部とを有し、上記化粧パネルは、上記空気吸込口に面する側壁から上記吸込グリルを収納する収納面にかけての角部に、上記吊下部が摺動可能に係止される吊下具係止部が設けられており、上記収納面における上記吊下具係止部の両側には、上記吊下具を上記吊下具係止部に挿入するための吊下具挿入部が設けられていることを特徴としている。
【００１２】
より好ましい態様として、上記吊下具係止部は、上記吸込グリルが上記化粧パネルに収納されている時に上記吊下具の上記係止部を保持する係止溝と、上記係止溝の間に設けられ上記吸込グリルを開いた時に上記吊下具の上記係止部を支持する支持部とからなり、上記係止溝は、上記側壁の一部を上記化粧パネルの上記収納面から上記側壁の上端まで繋ぐ第１案内面に沿って斜めに形成され、上記吊下具挿入部は、上記収納面における上記係止溝の両側に配置され、上記収納面から一段低く形成された凹部であって、上記収納面と上記凹部との段差面が上記吊下具を上記係止溝に導く案内面となり、上記案内面の開口幅が、上記側壁寄りから基端側に向かって漸次大きく形成されていることが好ましい。
【発明の効果】
【００１３】
本発明によれば、吊下具係止部の両側に吊下具を挿入するための吊下具挿入部を設けたことにより、吊下部を化粧パネルに取り付けまたは取り外しを行うときの作業性を良好にする。
【図面の簡単な説明】
【００１４】
【図１】本発明の一実施形態に係る天井埋込型空気調和機を下側から見た斜視図。
【図２】上記天井埋込型空気調和機の吸込グリルを開いて吊り下げた状態を示す斜視図。
【図３】上記吸込グリルを化粧パネルの吊下具係止部に吊り下げた状態を示す部分拡大斜視図。
【図４】図３のＡ−Ａ線断面図を吸込グリルを閉じた状態で示す部分拡大断面図。
【図５】上記化粧パネルの吊下具係止部を底面側から見た部分拡大図。
【図６】吊下具係止部に係止される吊下具の正面図。
【図７】（ａ）〜（ｃ）吊下具係止部に吊下具を取り付ける取付手順を示す説明図。
【図８】吸込グリルを吊り下げた状態における吊下具と吊下具係止部の位置関係を示す部分拡大断面図。
【図９】吸込グリルの開閉中の状態における吊下具と吊下具係止部の位置関係を示す部分拡大断面図。
【図１０】吸込グリルを閉じた状態における吊下具と吊下具係止部の位置関係を示す部分拡大断面図。
【発明を実施するための形態】
【００１５】
次に、本発明の実施形態について図面を参照しながら説明するが、本発明はこれに限定されるものではない。
【００１６】
図１および図２に示すように、この天井埋込型空気調和機１は、天井裏壁面と天井面との間に形成された空間に埋設される箱形の本体ケーシング２を有し、本体ケーシング２の内部には、ターボファン３と熱交換器（図示しない）とが収納されている。
【００１７】
本体ケーシング２の下面側には、化粧パネル４が取り付けられている。化粧パネル４は、中央にベルマウス２１に連通する四角形状の空気吸込口４１を有し、長方形状をなし本体ケーシング２のドレンパン２２の吹出口に連通する空気吹出口４２が空気吸込口４１の四辺を囲むように配置された扁平な角形フレームである。
【００１８】
空気吸込口４１から本体ケーシング２内に取り込まれた空気は、ベルマウス２１に沿ってターボファン３の内側に導かれ、ターボファン３の外周に向かって吹き出される。ターボファン３から吹き出された空気は熱交換器を通過する際、冷媒と熱交換され、本体ケーシング２内のドレンパン２２の吹出口を通って空気吹出口４２から室内に吹き出される。
【００１９】
この実施形態において、各空気吹出口４２は、それぞれ回動する風向板４２１によって覆われており、風向板４２１の背面側に設けられた図示しない回動手段によって運転時に風向板４２１が回動すると、空気吹出口４２が開放される。
【００２０】
化粧パネル４の中央には、空気吸込口４１を覆う吸込グリル５が開閉可能に取り付けられる。吸込グリル５は、合成樹脂でなり、扁平な四角形状のフレーム部５１と、フレーム部５１の中央に空気吸込口４１に空気を取り入れるためのドット状の複数の吸込孔５２が設けられている。
【００２１】
吸込グリル５のフレーム部５１の背面（本体ケーシング２と対向する面）には、吸込孔５２を覆うように四角形状のフィルタ枠７が取り付けられている。フィルタ枠７は、図２に示すフレーム部５１に設けたフィルタガイド５３で支えられ、下方に引き出すことができるようになっており、着脱自在である。フィルタ枠７の中には図示しない除塵フィルタが貼着されている。また、フレーム部５１の背面にはフィルタ枠７から離れた位置にフィルタ枠７を囲むようにフレーム部５１を補強するリブ５４が立設されている。
【００２２】
化粧パネル４は、吸込グリル５を化粧パネル４に取り付けたとき、吸込グリル５のフレーム部５１が風向板４２１と同一平面となるように一段凹んだフレーム収納面４１１を備える。また、化粧パネル４の空気吸込口４１は、フィルタ枠７が収納できるように四角形状に開口されている。そして、空気吸込口４１に面した面を側壁４３とし、側壁４３とフレーム収納面４１１の間には、リブ５４を収納するリブ収納部４１２が階段状に形成されている。
【００２３】
図３および図４を併せて参照して、吸込グリル５のフレーム部５１の背面には、吸込グリル５を化粧パネル４に取り付けるための係止爪５１１が設けられている。係止爪５１１は、図８と図９に示すように、吸込グリル５を化粧パネル４から吊り下げた状態において、化粧パネル４側のリブ５４に沿って左右に２箇所設けられ、化粧パネル４方向に斜め立ち上げられて、先端が化粧パネル４の外周に向かってほぼ水平に突設された舌片である。
【００２４】
化粧パネル４には、吸込グリル５が化粧パネル４に取り付けられた時にこの各係止爪１１を受ける位置に係止孔４３１が設けられている。係止孔４３１は、リブ収納部４１２からフレーム収納面４１１に至る角部の一部を貫通する孔であり、角部付近に係止爪５１１を引っ掛けるための支持部４３１ａが設けられている。この係止孔４３１に係止爪５１１を差し込み、支持部４３１ａに係止爪５１１を引っ掛けた状態で、吸込グリル５を水平になるまで回転させることで、吸込グリル５が化粧パネル４に水平に取り付けられる。
【００２５】
再び図２を参照して、吸込グリル４の裏面側にはさらに、吸込グリル５を化粧パネル４に係止するための係止手段としてラッチ部５１２，５１２が２箇所に設けられている。各ラッチ部５１２は、係止爪５１１に対向するフィルタ枠７の他方の側面（図２では下端側）でリブ５４の角部にそれぞれ設けられている。ラッチ部５１２を化粧パネル４のフレーム収納面４１１に設けられたラッチ孔４８に係止することにより、吸込グリル５を化粧パネル３とほぼ同一平面とした状態で保持することができるようになっている。本発明において、ラッチ部５１２の具体的な係止構造は任意であってよい。
【００２６】
次に、図５および図６を参照して、吸込グリル５を化粧パネル４に吊り下げる吊下具６について説明する。吊下具６は、１本の鋼線を折り曲げ加工してなり、化粧パネル４の後述する吊下具係止部４４に係止される係止部６１と、係止部６１の両端から同一方向に直角に折り曲げられた一対のアーム部６２，６２と、各アーム部６２の先端から係止部６１に対し平行で、かつ、互いに離反する方向に直角に折り曲げられた支軸部６３，６３とを備えている。尚、鋼線は弾性力のあるバネ用鋼線を用いると尚良い。
【００２７】
吸込グリル５のフレーム部５１の裏面には、吊下具６が取り付けられる軸受部５１３が設けられている。この実施形態において、軸受部５１３は、フレーム部５１の裏面から突設された門型であって、一つの吊下具６に対して２つの軸受部５１３が設けられる。
【００２８】
この例において、吊下具６は、吸込グリル５を垂直に吊り下げるために２箇所に設けられる。吊下具６によって吊り下げられる軸受部５１３は、合計４箇所に設けられている。この軸受部５１３の中央の係止孔に吊下具６の支軸部６３が回動可能に差し込まれることにより、吸込グリル５が吊下具６を介して化粧パネル４に吊下状態で支持される。
【００２９】
係止部６１は、吊下具係止部４４の後述する支持部４４５の横幅Ｗよりも、長い長さＬ１に形成されており、吊下具６を収納している状態で吊下具係止部４４内に常時水平に掛け渡される。アーム部６２は、その長さＬ２が、化粧パネル４の側壁４３の高さＨ（図４参照）よりも長く（Ｌ２＞Ｈ）形成されており、吊下具係止部４４の両側から吸込グリル５を開いた時に垂直に吊り下げられる。この実施形態において、支軸部６３は、アーム部６２の先端に互いに離反する方向に向けて突設されているが、互いに近接する方向に向けて形成されていても良い。
【００３０】
再び、図３および図４を参照して、化粧パネル４のフレーム収納面４１１とリブ収納部４１２には、吊下具６を係止する吊下具係止部４４が設けられている。吊下具係止部４４は、吸込グリル５が化粧パネル４に収納された時に吊下具６の係止部６１を支持する係止溝４４０，４４０，４４０ａと、係止溝４４０，４４０，４４０ａの間に設けられ吸込グリル５を開いた時に吊下具６の係止部６１を支持する支持部４４５と、吊下具６を係止溝４４０に案内する吊下具挿入部４５とからなる。
【００３１】
係止溝４４０は、吊下具６の係止部６１が斜め上下に摺動可能な摺動溝であって、係止下端４４１ａから垂直に延びる垂直仮想線に対して上端が化粧パネル４の側壁４３に向かって傾斜している。係止溝４４０は、側壁４３の一部を化粧パネル４のフレーム収納面４１１の空気吹出口４２側から側壁４３の空気吸込口４１側の上端まで繋ぐ第１案内面４４１に沿って設けられている。この実施形態において、吊下具係止部４４には、係止溝４４０が３箇所設けられているが、中央のすり割り溝４４０ａは必ず設ける必要は無い。
【００３２】
支持部４４５は、図４に示すように、第１案内面４４１の上端から第１案内面４４１に対して所定の間隔Ｇをもって平行に配置され長さが第１案内面４４１の半分ほどの第２案内面４４２と、第２案内面４４２の下端から、その下端がフレーム収納面４１１に至るほぼ垂直な第３案内面４４３と、第３案内面４４３の下端と第１案内面４４１の下端とを結ぶ水平な支持面４４４とによって囲まれている。
【００３３】
第１案内面４４１は、フレーム収納面４１１の空気吹出口４２側から側壁４３の空気吸込口４１側の上端に向かって斜めに形成された傾斜面であり、係止下端４４１ａと係止上端４４１ｂとを結んだ仮想線の長さＬ３（この例では第１案内面４４１の長さに相当）が、吊下具６のアーム部６３の長さＬ２よりも大きく（Ｌ３＞Ｌ２）形成されている。
【００３４】
第２案内面４４２は、第１案内面４４１に対して間隔Ｇをもって平行に配置された傾斜面であり、化粧パネル４から吸込グリル５を開く際、第２案内面４４２に沿って吊下具６の係止部６１が斜め下方向に向かって導く傾斜面である。
【００３５】
第３案内面４４３は、第２案内面４４２に導かれた係止部６１を真っ直ぐ支持面４４４に導く垂直面であり、係止部６１が第３案内面４４３を滑り落ち支持面４４４に支持されることで、吸込グリル５が吊下具６を介して吊り下げられる。支持面４４４では、吸込グリル５を吊り下げた状態で係止部６１を支える。
【００３６】
この実施形態において、側壁４３とフレーム収納面４１１の間には、リブ５４を収納するリブ収納部４１２が階段状に形成されているが、第３案内面４４３は、リブ収納部４１２と面一となるように形成されている。
【００３７】
支持面４４４は、吊下具６の係止部６１を水平に支持する支持面であって、この例では吊下具６を前後方向（図８では左右方向）に沿って移動可能とする長さＬ４を有している。支持面４４４は、その下面がフレーム収納面４１１と同一平面となるように形成されている。
【００３８】
ところで、支持部４４５は、フレーム収納面４１１と同一平面となるように形成されているため、吊下具係止部４４の両側から吊下具６を挿し入れようとすると、吊下具６がフレーム収納面４１１にぶつかるため、そのままでは吊下具６を吊下具係止部４４に挿し入れることができない。
【００３９】
そこで、図５に示すように、フレーム収納面４１１における吊下具係止部４４の係止溝４４０の両側には、吊下具６を係止溝４４０に挿入するための吊下具挿入部４５，４５が設けられている。吊下具挿入部４５は、フレーム収納面４１１から図５において紙面奥行き方向に凹まされた凹部であり、フレーム収納面４１１と吊下具挿入部４５との段差面が吊下具６を係止溝４４０に導くための案内面４５１となる。
【００４０】
吊下具挿入部４５の案内面４５１は、開口幅がリブ収納部４１２（側壁４３寄り、図５では上端側）からフレーム収納面４１１の外周側（図５ではフレーム収納面４１１の下端側）に向かって漸次大きくなるハの字状に形成されている。この実施形態において、吊下具挿入部４５の案内面４５１のハの字形状は４５°に開く傾斜面である。
【００４１】
次に、図７（ａ）〜（ｃ）を参照して、吊下具６の吊下具係止部４４への取付手順について説明する。まず、図７（ａ）に示すように、吊下具６の支軸部６３側を一方の吊下具挿入部４５（この例では左側の吊下具挿入部４５ａ）の基端側から差し込む。次に、その支軸部６３を左側の吊下具挿入部４５ａの案内面４５１に対しアーム部６２がほぼ平行とした状態で、左側の係止溝４４０内に差し込む。
【００４２】
次に、図７（ｂ）に示すように、左側の係止溝４４０から挿入された吊下具６の支軸部６３の先端を、中央の係止溝４４０ａ、右側の係止溝４４０の順に挿通させ、係止部６１が左側の支持部４４５の側面まで差し込む。
【００４３】
さらに図７（ｃ）に示すように、吊下具６を時計回りに回転させつつ、係止部６１を左側の支持部４４５の側面に沿わせながら右方向に移動させることにより、アーム部６２が右側の係止溝４４０から右側の吊下具挿入部４５ｂに抜ける。
【００４４】
この状態で吊下具６をさらに時計回りに回転することで、吊下具６の先端側が他方の吊下具挿入部４５ｂから外側に引き出される。これによれば、化粧パネル４の厚さを薄くして吊下具係止部４４を化粧パネル４に埋設したのに伴い、吊下具６を直接、吊下具係止部４４内に挿入することができないが、吊下具係止部４４の両側に吊下具挿入部４５を設けたことにより、吊下具６を化粧パネル４に取り付けまたは取り外しを行うときの作業性を良好にする。
【００４５】
吊下具係止部４４に吊下具６を取り付けたのち、吊下具６の各支軸部６３，６３を内側に弾性変形させて、吸込グリル５の軸受部５１３に差し込むことにより、図２および図８に示すように、吸込グリル５が吊下具６によって化粧パネル４に吊り下げられた状態で保持される。
【００４６】
図８を参照して、吸込グリル５は、吊下具６を介して化粧パネル４に吊り下げられた状態で保持されるが、その際、支持面４４４の長さＬ４の範囲内で、吊下具６が前後にスライド可能である。
【００４７】
これによれば、支持面４４４に沿って吊下具６がスライドすることにより、メンテナンス時に吸込グリル５の移動量に遊びを持たせることができ、フィルタ枠７の着脱作業を余裕をもって行うことができ、メンテナンス性を高めることができる。
【００４８】
次に、吸込グリル５を化粧パネル４に取り付けるにあたっては、図９に示すように、吸込グリル５を上に持ち上げることで、吊下具６の係止部６１が支持面４４４から持ち上げられる。係止部６１は、第１案内面４４１および第２案内面４４２に沿って上方へと案内される。
【００４９】
併せて、吸込グリル５の係止爪５１１を側壁４３の係止孔４３１に差し込んだのち、吸込グリルのラッチ部５１２を化粧パネル５のラッチ孔４８に係止することで、吸込グリル５が化粧パネル４に対して同一平面となるように水平に閉じられる。その際、吊下具６は、図１０に示すように、吊下具係止部４４の第１案内面４４１に沿って平行となるようにその内部に収納される。
【００５０】
吸込グリル５を開くに当たっては、ラッチ部５１２の係止を解き、吸込グリル５の自由端側（ラッチ部５１２側）を下に開いてゆくと、図１０に示すように、吊下具６の係止部６１が吊下具係止部４４の第２案内面４４２に沿って下に落ちてゆき、第２案内面４４２の下端から第３案内面４４３（垂直面）を通って支持面４４４まで落ちる。これにより、図８に示す吊り下げ状態となる。
【００５１】
以上説明したように、本発明によれば、吊下具係止部４４の左右に吊下具６を係止溝４４０に挿入するための吊下挿入部４５を設けたことにより、吊下部６を化粧パネル４に取り付けまたは取り外しを行うときの作業性を良好にする。
【符号の説明】
【００５２】
１  天井埋込型空気調和機
２  本体ケーシング
３  ターボファン
４  化粧パネル
４１  空気吸込口
４１１  フレーム収納面
４１２  リブ収納部
４２  空気吹出口
４３  側壁
４４  吊下係止部
４４０，４４０ａ  係止溝
４４１  第１案内面
４４２  第２案内面
４４３  第３案内面
４４４  支持面
４４５  支持部
４５  吊下具挿入部
４５１  案内面
５  吸込グリル
５１  フレーム部
５３  フィルタガイド
５４  リブ
６  吊下具
６１  吊下部
６２  アーム部
６３  支軸部
７  フィルタ枠
【図１】
0006338060.tif 000002
【図２】
0006338060.tif 000003
【図３】
0006338060.tif 000004
【図４】
0006338060.tif 000005
【図５】
0006338060.tif 000006
【図６】
0006338060.tif 000007
【図７】
0006338060.tif 000008
【図８】
0006338060.tif 000009
【図９】
0006338060.tif 000010
【図１０】
0006338060.tif 000011